(57)【要約】      （修正有）【課題】常に箸の先端部をテーブル上面から浮かせて置くことができると共に、高級箸として製作し、それを使用しても違和感が殆どない台付き箸を提供する。【解決手段】箸本体１の先端部11寄りに凸部２を設ける構造と成す。また前記凸部２の位置としては、箸本体１の先端から全長の１／４〜１／３の範囲とし、前記凸部２は箸本体１に嵌め込んで一体化させるか或いは着脱可能な凸部２を用いても良い。又、前記箸本体１を竹で形成すると共に前記凸部２には竹の節を用いると良い。更に前記箸本体１の表面に漆の塗膜を形成させて化粧したものとするのが好ましい。【選択図】図１
0003142679.tif 000002
【実用新案登録請求の範囲】
【請求項１】
箸本体（１）の先端部（11）寄りに凸部（２）を設けたことを特徴とする台付き箸。
【請求項２】
前記凸部（２）の位置が、前記箸本体（１）の先端から全長の１／４〜１／３の範囲である請求項１記載の台付き箸。
【請求項３】
前記凸部（２）が前記箸本体（１）に嵌め込まれて一体化された請求項１又は２記載の台付き箸。
【請求項４】
前記凸部（２）が着脱可能である請求項１又は２記載の台付き箸。
【請求項５】
前記箸本体（１）が竹であり、前記凸部（２）が竹の節である請求項１又は２記載の台付き箸。
【請求項６】
前記箸本体（１）の表面に漆の塗膜（３）が形成された請求項１、２、３又は５記載の台付き箸。
【考案の詳細な説明】
【技術分野】
【０００１】
本考案は常に箸の先端部をテーブル上面から浮かせて置くことができる台付き箸、特には使い捨てでなく繰返して使用する台付き箸に関する。
【背景技術】
【０００２】
従来、箸置きが不要な箸としては、箸置き付き割り箸が多く提案されている。例えば、実開平５−６５２７２号のように割り箸部分と箸置き部分の間に亀裂や刻み等を付け、手の力で簡単に箸置き部分が分離され、その分離片を箸置きとして使用する構造のものであり、使い捨て用のものには、この構造の提案が多くあった。一方、使い捨てでなく繰返して使用する箸置きが不要な箸としては、例えば、特開２００１−２３１６７４がある。これは箸の頭部（太い側）に適度な面と重さを持つ安定台を設け、箸の中央からやや頭部寄りに突出した支持台を設け、箸の先端側を浮かせて置くものであった。
【０００３】
しかしながら特開２００１−２３１６７４を使用する場合、２本の箸には、頭部に設けた安定台が広いため、食物を箸でつかむ際に、安定台同志がぶつかり易く、使用しにくいものとなっていると共に違和感を与え、且つ、箸を指で把持すると、中指に支持台が当接或いは接触するので、取扱いにくいものとなっていた。又、この割り箸構造としたものを使用する場合、１組の箸の一方は箸置き不要の箸を用い、他方は安定台を有していないものを用いるため、１組の箸の形状がそれぞれ異なって違和感を与え、且つ、箸を指で把持すると、２本の箸の重量がそれぞれ異なって扱いにくいと共に中指に支持台が当接或いは接触するので、取扱いにくいものであった。
【特許文献１】特開２００１−２３１６７４号公報
【考案の開示】
【考案が解決しようとする課題】
【０００４】
本考案は常に箸の先端をテーブル上面から浮かせて置くことができると共に、高級箸として製作し、それを使用しても違和感が殆どない台付き箸を提供することを目的とする。
【課題を解決するための手段】
【０００５】
本考案は上記問題点を解消するために成されたものであり、つまり、箸本体の先端部寄りに凸部を設ける構造と成す。また前記凸部の位置としては、箸本体の先端から全長の１／４〜１／３の範囲とし、前記凸部は箸本体に嵌め込んで一体化させるか或いは着脱可能な凸部を用いても良い。又、前記箸本体に竹を用いると共にその節を凸部として利用したものとしても良い。更に前記箸本体の表面に漆の塗膜を形成させて化粧したものとするのが好ましい。
【考案の効果】
【０００６】
請求項１のように箸本体（１）の先端部（11）寄りに凸部（２）を設けることにより、箸本体（１）の先端部（11）をテーブル上面から常に浮かせて置くことができると共に、１組の箸の形状が同じで且つ、箸を指で把持しても支障がなく、違和感もなくなり、従来通りの使用が可能となる。
【０００７】
請求項２のように凸部（２）の位置を、箸本体（１）の先端から全長の１／４〜１／３の範囲とすることにより、使用上の支障が生じることなく、且つ、違和感もなく使用できるものとなる。また高級箸を製作し、それを使用しても違和感が殆どないものとなると共に和食処などで本考案の箸を揃えて出して置くと、箸置きがないのに箸本体（１）の先端部（11）が所定高さで浮いた状態となるため、人目を引き、話題性が発揮されるものとなる。
【０００８】
請求項３に示すように凸部（２）を箸本体（１）に嵌め込んで一体化させることにより、特に高級な木材を使用する際に、木材の使用量を少なくすることが可能となる。
【０００９】
請求項４に示すように凸部（２）を着脱可能な分離するものとすることにより、今使用している箸に対し、取付けて使用することが可能となる。
【００１０】
請求項５のように箸本体（１）に竹を用いると共にその節を凸部（２）として利用することにより、製作が容易となり、安価に提供できるものとなる。
【００１１】
請求項６のように箸本体（１）の表面に漆の塗膜（３）を形成させることにより、箸本体（１）に高級感が醸し出されるものとなる。又、前記箸本体（１）に設けた凸部（２）が一体化して同化され、凸部（２）が殆ど目立たなくなるため、その箸を使用しても違和感が殆どないものとなると共に和食処で本考案の箸を揃えて出して置くと、箸置きがないのに箸本体（１）の先端部（11）が所定高さで浮いた状態となるため、人目を引き、話題の提供が可能となる。
【考案を実施するための最良の形態】
【００１２】
図１、図２は本考案の実施形態を示す図であり、これに基づき説明する。(１)は木製の高級箸の箸本体であるが、他の材料、例えば竹製や合成樹脂製などのものでも良い。
【００１３】
（２）は箸本体（１）の先端部（11）寄りに設けた凸部であり、該凸部（２）は、設けた位置の箸本体（１）の断面積と略同じ大きさのものとするのが好ましい。また前記凸部（２）の設け方としては、図３（ａ）に示すように木材や合成樹脂などの同じ材料で一体に削り出し或いは成形されたもの、図３（ｂ）に示すように凸部（２）の上端を箸本体（１）の下端に嵌め込んで一体化したもの、図３（ｃ）のように、箸本体（１）と分離する凸部（２）を嵌め込んで着脱可能に取付けたものがある。この図３（ｃ）の場合には、図５に示す凸部（２）、つまり、両側に挟持片（21）が設けられたプラスチック製のものを嵌め込んで取付けると良い。又、前記凸部（２）の位置としては、箸本体（１）の先端から全長の１／３前後が良いが、全長の１／４〜１／３の範囲とするのが好ましい。この時、凸部（２）の位置を先端から全長の１／４以下にすると、食物をつかむ際に邪魔になる恐れがあり、一方、全長の１／３以上になると、箸本体（１）を指で把持する際に中指に接触する恐れが生じる。更に前記凸部（２）の形状としては、軸方向断面形状が四角形，逆山形，逆三角形などとするのが良いが、安定して先端部（11）が浮いた状態が確保できる形状であれば他の形状としても良い。
【００１４】
（３）は箸本体（１）の表面に形成した漆の塗膜であり、該塗膜（３）としては高級箸に形成されるものと同じものとするのが好ましい。
【００１５】
図４は本考案の別実施形態を示す図であり、これは前記箸本体（１）を竹で形成し、竹の節を利用して凸部（２）が形成されている。他は前記実施形態と同じである。
【００１６】
次に本考案の作用について説明する。先ず始めに箸本体（１）をテーブルに１組置くと、図１に示すように箸本体（１）の先端が浮き、あたかも箸置きに箸本体（１）を置いた状態となる。この時の浮き具合は、テーブル上面から４〜５ｍｍ程度浮くと共に箸本体（１）の上面が略水平になる。このため、箸本体（１）の先端部（11）側が常に所定間隔浮かした状態を保持して置くことができると共に、１組の箸本体（１）の形状が同一であると共に箸本体（１）を指で把持しても、凸部（２）が中指に接触することもないので、違和感がなく、且つ、取扱い易いものになり、従来の箸と何にも変わらぬ状態で使用が出来るものとなる。
【００１７】
図５に示す凸部（２）を使用する場合について説明する。先ず使用している箸本体（１）或いは新たな箸本体（１）を用意し、この箸本体（１）の先端から全長の１／４〜１／３の範囲に、両側に設けた挟持片（21）を２点鎖線のように外側へ広げて、凸部（２）を箸本体（１）に取付ける。すると、凸部（２）は図３（ｃ）に示すように箸本体（１）の下面と密着すると共に両側の挟持片（21）が箸本体（１）の両側面に密着して取付けられるのである。この時、凸部（２）は挟持片（21）の弾性力によって、箸本体（１）にしっかり取付けられるのである。この状態で使用すれば良く、且つ、上記のような作用効果も得られるのである。
【図面の簡単な説明】
【００１８】
【図１】本考案の実施形態を示す説明図である。
【図２】図１のＡ−Ａ断面図である。
【図３】本実施形態の凸部が設けられた状態の断面を示す説明図である。
【図４】本考案の別実施形態の要部拡大断面を示す説明図である。
【図５】本実施形態の着脱可能な凸部を示す斜視図である。
【符号の説明】
【００１９】
１  箸本体
11  先端部
２  凸部
３  塗膜
【図１】
0003142679.tif 000003
【図２】
0003142679.tif 000004
【図３】
0003142679.tif 000005
【図４】
0003142679.tif 000006
【図５】
0003142679.tif 000007